(57)【特許請求の範囲】
【請求項１】
平面あるいは立体の物体像が記録されてなり、瞳の再生位置に瞳のパターンと同じ微細パターンの微細パターン板を配置することによって真正なものと判別可能な体積型ホログラムにおいて、像再生面から離間した位置であってホログラム面から離間した実空間中に再生される視認できない微細な繰り返しパターン状の瞳の像が記録されてなることを特徴とする偽造防止ホログラム。
【請求項２】
前記像再生面がホログラム面近傍であることを特徴とする請求項１記載の偽造防止ホログラム。
【請求項３】
前記瞳の像がホログラム面と略平行に再生されるように記録されていることを特徴とする請求項１又は２記載の偽造防止ホログラム。
【請求項４】
視認できない微細な繰り返しパターン状の瞳の像が記録されてなるホログラムの観察側に離間して視認できない微細な繰り返しパターンを有する微細パターン板を配置して、モアレ縞が再生像に重畳して光量ムラが生じる場合、及び、前記微細パターン板をその面に沿って微小量移動させたときに光量変化が起きない場合に、前記ホログラムが偽造されたものであると判定することを特徴とする偽造ホログラム検出法。
【発明の詳細な説明】
【０００１】
【発明の属する技術分野】
本発明は、偽造防止ホログラム及び偽造ホログラム検出法に関し、特に、画像等の表示情報とは別に万線、網点等の微細パターンを空間的に記録してなるホログラムとそのようなホログラムの偽造検出法に関するものである。
【０００２】
【従来の技術】
従来から、ＣＤカード、プリペイドカード、定期券、通帳、パスポート、身分証明書、商品等が真実なもので偽造されたものでないことを保証するために、立体像、模様等を記録したレリーフホログラム又はリップマンホログラムからなるラベル、シール等を対象物に貼着することが広く行われている。
【０００３】
【発明が解決しようとする課題】
これらのホログラムは、単純な再生照明光あるいは白色光により再生可能であり、これを偽造することは必ずしも困難なことではない。そのため、このようなホログラムからなるラベル、シール等のセキュリティー性は必ずしも高いものではなかった。
【０００４】
本発明はこのような従来技術の問題点に鑑みてなされたものであり、その目的は、偽造物であることが検出可能な偽造防止ホログラムとそのようなホログラムの偽造検出法を提供することである。
【０００５】
【課題を解決するための手段】
上記目的を達成する本発明の偽造防止ホログラムは、平面あるいは立体の物体像が記録されてなり、瞳の再生位置に瞳のパターンと同じ微細パターンの微細パターン板を配置することによって真正なものと判別可能な体積型ホログラムにおいて、像再生面から離間した位置であってホログラム面から離間した実空間中に再生される視認できない微細な繰り返しパターン状の瞳の像が記録されてなることを特徴とするものである。
【０００６】
この場合、像再生面をホログラム面近傍とすることができる。また、瞳の像がホログラム面と略平行に再生されるように記録することができる。
【０００７】
本発明の偽造ホログラム検出法は、視認できない微細な繰り返しパターン状の瞳の像が記録されてなるホログラムの観察側に離間して視認できない微細な繰り返しパターンを有する微細パターン板を配置して、モアレ縞が再生像に重畳して光量ムラが生じる場合、及び、前記微細パターン板をその面に沿って微小量移動させたときに光量変化が起きない場合に、前記ホログラムが偽造されたものであると判定することを特徴とする方法である。
【０００８】
上記の本発明においては、像再生面から離間した位置であってホログラム面から離間した実空間中に再生される視認できない微細な繰り返しパターン状の瞳の像が記録されてなるので、この瞳は通常の観察では認識できず隠しイメージとなっている。そして、この瞳の本来の再生位置に瞳のパターンと同じ微細パターンの微細パターン板を配置して、モアレ縞が再生像に重畳して光量ムラが生じるか、あるいは、微細パターン板のその面に沿った微小量移動によって光量変化が起きるか否かを見ることによって、そのホログラムが偽造されたものであるか否かが容易に判定でき、ホログラムの偽造防止が図れる。
【０００９】
【発明の実施の形態】
次に、本発明の偽造防止ホログラムとそのようなホログラムの偽造検出法の実施例について説明する。
まず、図１〜図３を参照にして本発明による偽造防止ホログラムの作製方法を説明する。図１に示すように、ホログラム感光材料としてフォトポリマー等の体積ホログラム感光材料１を用意し、その上に１次元的又は２次元的に透明領域と不透明領域が繰り返してなる万線、網点等の視認できない微細な繰り返しパターンを有する微細パターン板２を載置して、微細パターン板２側から紫外線等の感光光３を照射する。ここで、微細パターン板２の繰り返し微細パターンは必ずしも一定周期のものである必要はなく、周期が徐々に増加するパターン等、重畳したときモアレ縞を生じさせるパターンであればよい。上記のような感光光３を微細パターン板２を介して照射すると、図２（ａ）に示すように、体積ホログラム感光材料１には微細パターン板２の繰り返し微細パターンに従って交互に不活性領域１ａと活性領域１ｂが形成される。
【００１０】
次に、図２（ａ）に示すように、このような繰り返し微細パターンが露光された体積ホログラム感光材料１の下側に離間して表示物体Ｏを配置し、ホログラム感光材料１の上側の所定方向から照明光４を入射させ、その透過光が物体Ｏで散乱された光５と入射光４とをホログラム感光材料１の活性領域１ｂ中で干渉させて第１のホログラムを記録する。この第１のホログラムも符号１で表す。
【００１１】
次に、図２（ｂ）に示すように、第１のホログラム１の下側の記録時に物体Ｏが配置されていた位置に別のフォトポリマー等の体積ホログラム感光材料６を第１のホログラム１と平行に配置し、第１のホログラム１記録時の照明光４と反対に進む照明光７を体積ホログラム感光材料６の下側から入射させると、第１のホログラム１の領域１ｂに記録された干渉縞から回折光８が生じ、物体Ｏの像Ｏ’が体積ホログラム感光材料６の面近傍に再生される。この回折光８と入射光７とをホログラム感光材料６中で干渉させて第２のホログラムを記録する。この第２のホログラムも符号６で表す。
【００１２】
以上のようにして２ステップで記録された第２のホログラム６が本発明による１実施例の偽造防止ホログラムである。このホログラム６は体積型あるいはリップマン型ホログラムであり、図３に示すように、このホログラム６にその記録時の照明光７と反対に進む照明光９が上側から入射すると、記録された干渉縞から回折光１１が反射方向に生じ、この回折光１１により物体Ｏの像Ｏ”がホログラム６の面近傍に再生される。したがって、ホログラム６には、物体Ｏの像Ｏ”をイメージホログラム的に表示することができる（もちろん、必ずしも物体像Ｏ”をホログラム６の面近傍に再生するようにする必要はない。）。
【００１３】
そして、ここで重要なのは、表示像Ｏ”を形成する回折光１１は、第２のホログラム６記録時の第１のホログラム１のホログラム記録領域１ｂに相当する領域、すなわち、微細パターン板２の不透明領域に相当する微細開口部１０内にのみ回折され、その微細開口部１０を通して観察される。別の言葉でいえば、ホログラム６の再生像Ｏ”は、ホログラム６面からその記録時の第１のホログラム１の位置にあり、微細パターン板２の不透明領域に相当する微細開口部１０からなる微細な瞳を通して観察されることになる。この微細な瞳１０は、視認できない程微細であることと、再生像Ｏ”から空間的に離間していることのため、通常の観察では認識できない。
【００１４】
次に、このような微細な瞳が同時に記録されたホログラム６の偽造検出法の実施例について説明すると、そのためには、図４に示すように、第１のホログラムを記録する前に体積ホログラム感光材料１に不活性領域１ａと活性領域１ｂの繰り返し微細パターンを形成するのに用いたのと同様な微細パターン板１２を用い、その微細パターン板１２をホログラム６の前方の微細な瞳１０位置に配置する。ホログラム６が真正なものである場合、微細パターン板１２の開口１２ａと微細な瞳１０の周期は一致するので、ホログラム６のどの位置においても、観察者に達する光量は一定であるので、再生像Ｏ”にはムラが生じない。しかも、微細パターン板１２をその面に沿って微小量移動させると、開口１２ａと瞳１０の一致度に基づいて光量が変化する。これに対して、ホログラム６が偽造されたものである場合、微細開口部１０が記録されていないと、上記のような微細パターン板１２の微小量移動に伴っても光量変化がない。また、微細開口部１０が記録されていても、そのパターンは微細パターン板１２の開口１２ａのパターンとは微妙に異なるものとなるのが普通である。したがって、ホログラム６の面内のある位置Ａでは開口１２ａと瞳１０が例えば半周期ずれており、回折光１１がほとんど両開口１０、１２ａを通過できない。また、ホログラム６の面内の別のある位置Ｂでは開口１２ａと瞳１０が例えば４分の１周期ずれており、回折光１１は半分だけ通過できる。したがって、この場合には、微細開口部１０と開口１２ａのモアレ縞が再生像Ｏ”に重畳した光量のムラが生じ、ホログラム６は真正なものではなく偽造されたものであると容易に検出できる。
【００１５】
以上、本発明の偽造防止ホログラムとそのようなホログラムの偽造検出法を実施例に基づいて説明してきたが、本発明はこれら実施例に限定されず種々の変形が可能である。例えば、微細開口部１０が記録されている面とホログラム６の面の間の距離は任意に変えることが可能である。また、微細開口部１０が記録されている面をホログラム６の面に平行にする必要もない。
【００１６】
【発明の効果】
以上の説明から明らかなように、本発明の偽造防止ホログラム及び偽造ホログラム検出法によると、像再生面から離間した位置であってホログラム面から離間した実空間中に再生される視認できない微細な繰り返しパターン状の瞳の像が記録されてなるので、この瞳は通常の観察では認識できず隠しイメージとなっている。そして、この瞳の本来の再生位置に瞳のパターンと同じ微細パターンの微細パターン板を配置して、モアレ縞が再生像に重畳して光量ムラが生じるか、あるいは、微細パターン板のその面に沿った微小量移動によって光量変化が起きるか否かを見ることによって、そのホログラムが偽造されたものであるか否かが容易に判定でき、ホログラムの偽造防止が図れる。
【図面の簡単な説明】
【図１】本発明の偽造防止ホログラムの１実施例の作製前にホログラム感光材料を前処理する工程を説明するための図である。
【図２】本発明の偽造防止ホログラムの１実施例の作製工程を説明するための図である。
【図３】本発明の偽造防止ホログラムの１実施例により再生される物体像と微細な瞳とを説明するための図である。
【図４】本発明によるホログラム偽造検出法の１実施例を説明するための図である。
【符号の説明】
１…体積ホログラム感光材料（第１のホログラム）
１ａ…不活性領域
１ｂ…活性領域
２…微細パターン板
３…感光光
４…照明光
５…散乱光
６…体積ホログラム感光材料（第２のホログラム）
７…照明光
８…回折光
９…照明光
１０…微細開口部（微細な瞳）
１１…回折光
１２…微細パターン板
１２ａ…微細パターン板開口
Ｏ…表示物体
Ｏ’、Ｏ”…物体像
Ａ、Ｂ…面内位置
【図１】
0003897318.tif 000002
【図２】
0003897318.tif 000003
【図３】
0003897318.tif 000004
【図４】
0003897318.tif 000005